(57)【要約】【課題】遮断手段の動作状態及び検出流量により計測間隔を制御し積算精度を確保しつつ低消費電力化を図るガス遮断装置を提供する。【解決手段】流速を検出し流量値に換算し流量平均演算手段２１で求めた流量を異常判定手段２２で判定し異常と判定時遮断手段２３に遮断出力すると共に動作状態判定手段２４で動作状態とその時の流量とから、流速検出手段１４の駆動周期をガス供給可能な通常時に比較して長時間間隔に駆動手段２５に設定して流量計測を行う共に器具の使用状態監視を行う構成にしている。【選択図】図１
2005172497.tif 000002
【特許請求の範囲】
【請求項１】
媒体内の信号伝搬時間を計測し流速を検出する流速検出手段と、前記流速検出手段で検出した流速より流量に換算する流量演算手段と、前記流量演算手段の流量値より平均流量を求める流量平均演算手段と、前記流速検出手段を駆動する駆動手段と、前記流量平均演算手段で演算した流量値により異常流量か否かを判定する異常判定手段と、前記異常判定手段で異常と判定した時媒体流路を遮断する遮断手段と、前記異常判定手段により前記遮断手段の制御状態を検出し前記流量平均演算手段で求めた流量とから前記駆動手段に駆動周期を設定する動作状態判定手段とを備えたガス遮断装置。
【請求項２】
媒体内の信号伝搬時間を計測し流速を検出する流速検出手段と、前記流速検出手段で検出した流速より流量に換算する流量演算手段と、前記流量演算手段の流量値より平均流量を求める流量平均演算手段と、前記流速検出手段を駆動する駆動手段と、前記流量平均演算手段で演算した流量値により異常流量か否かを判定する異常判定手段と、前記異常判定手段で異常と判定した時媒体流路を遮断する遮断手段と、前記遮断手段に対し遮断出力を行い動作確認を行ったり各種設定を行う操作手段と、前記操作手段のよる遮断出力か否かを判別しかつ前記異常判定手段により前記遮断手段の制御状態を検出し前記流量平均演算手段で求めた流量とから前記駆動手段に駆動周期を設定する動作状態判定手段とを備えたガス遮断装置。
【請求項３】
媒体内の信号伝搬時間を繰返し計測する繰返し手段を有して流速を検出する流速検出手段と、前記流速検出手段で検出した流速より流量に換算する流量演算手段と、前記流量演算手段の流量値より平均流量を求める流量平均演算手段と、前記流速検出手段を駆動する駆動手段と、前記流量平均演算手段で演算した流量値により異常流量か否かを判定する異常判定手段と、前記異常判定手段で異常と判定した時媒体流路を遮断する遮断手段と、前記遮断手段に対し遮断出力を行い動作確認を行ったり各種設定を行う操作手段と、前記操作手段のよる遮断出力か否かを判別し、かつ前記異常判定手段により前記遮断手段の制御状態を検出し前記流量平均演算手段で求めた流量とから前記駆動手段に駆動周期を設定する動作状態判定手段と、前記動作状態判定手段により前記操作手段による遮断状態に至った場合前記流速検出手段の有する繰返し手段の繰返し回数を通常計測より少なくして所定の計測周期の間に計測開始を行う探索手段とを備えたガス遮断装置。
【発明の詳細な説明】
【技術分野】
【０００１】
本発明は、超音波を用いて配管内を流れる各種媒体、例えば都市ガスやＬＰガス等流速を検出しそのガス流速変化よりガス使用状態が安全か否かを監視するガス遮断装置に関する。
【背景技術】
【０００２】
従来のこの種のガス遮断装置のブロック図を図４に示す。
【０００３】
図４において、１は流路、２は上流側振動子で、超音波を送受信し流路１の上流側に設置される。３は下流側振動子で、超音波を送受信し流路１の下流側に対向して取り付けられている。４は送信回路で、上流側振動子２へ超音波信号を送信し、５は増幅回路で、下流側振動子３で受信した信号を増幅する。６は比較回路で、増幅された信号と基準信号とを比較する。７は計時手段で、超音波の発信から受信迄の時間をタイマカウンタで計測する。８は計測回路で、送信回路４から計時手段７迄を含む。９は流量演算手段で、計時手段７による超音波伝搬時間に応じて管路の大きさ、流れの状態を考慮して流量値を求める。１０は周期可変手段で、流量演算手段９の値によって測定周期の変更を行う。１１は計測開始手段で、周期可変手段１０の値に応じて送信回路への信号送出タイミングを調節する。１２は計測終了手段で、流量演算手段９の演算終了を検出する。１３は電圧制御手段で、計測終了手段１２に同期して計測回路８の電圧を低下させ、又計測開始手段１１による計測開始と同期して計測回路８の電圧を復帰させるようになっていた（例えば、特許文献１参照）。
【０００４】
次に従来例の構成の動作を説明する。都市ガス、ＬＰガス等の媒体ガスの流れる流路１内において、計測開始手段１１により送信回路４からバースト信号が送出され、上流側振動子２で発信された超音波信号は流路１の流れの中を伝搬し、下流側振動子３で受信され、更に増幅回路５と比較回路６で信号処理され発信から受信までの時間を計時手段７で測定する。流量が大きい時は計時サンプリングを速くして誤差を小さくする必要があり、又流量が小さい時、或いは流量零の時は計測サンプリングを遅くしてもほとんど誤差にならない。よって流量演算手段９の値に応じて計測間隔を変更する。流量演算手段９の値が小さい時周期可変手段１０で計測時間の間隔を大きくし、流量演算手段９の値が大きいなるに伴って計測時間の間隔を小さくする。又計測と計測との間には計測回路８の電圧を低減する。流量演算手段９によって流量計測を終了すると計測終了手段１２に信号送出し電圧制御手段１３で電圧を下げるか、零にする。計測開始手段１１によって計測開始前に電圧制御手段１３により計測回路８の電圧を元に復帰させるようにしている。
【特許文献１】特開平９−２１６６７号公報
【発明の開示】
【発明が解決しようとする課題】
【０００５】
しかしながら、上記従来の構成では下記問題点があった。流量演算手段で求まった流量により周期可変手段より計測開始手段の周期を可変し、又電圧制御手段により電圧制御を行うが、例えばガステーブル等を通常使用する時間以上に長時間使用した場合に使用時間遮断したり、又給湯器等へのガスホース等がはずれ異常な大流量が流れ遮断した場合の流量計測方法が開示されていない。
【０００６】
本発明は上記課題を解決するもので、器具の異常な使用状態を検出し遮断した場合無駄な流量計測を行い電池電源の電流消費を抑制し、かつ流量が変動してもガス器具が使用されていないことを正確に特定し使用状態が安全か否かを監視するガス遮断装置を提供することを目的としたものである。
【課題を解決するための手段】
【０００７】
この課題を解決するために本発明は、媒体内の信号伝搬時間を計測し流速を検出する流速検出手段と、流速検出手段で検出した流速より流量に換算する流量演算手段と、流量演算手段の流量値より平均流量を求める流量平均演算手段と、流速検出手段を駆動する駆動手段と、流量平均演算手段で演算した流量値により異常流量か否かを判定する異常判定手段と、異常判定手段で異常と判定した時媒体流路を遮断する遮断手段と、異常判定手段により遮断手段の制御状態を検出し流量平均演算手段で求めた流量とから駆動手段に駆動周期を設定する動作状態判定手段とでなる構成にしている。
【０００８】
このことにより、下流側にガステーブルやガスファンヒータ等の低流量の器具や、ＧＨＰや給湯器等の大流量器具が接続され、異常に長時間使用した場合或いは器具へのガス供給ホースハズレ等により異常な大流量が流れたのを異常判定手段で検出し、遮断手段を作動させガス供給を停止するが、異常判定手段により遮断出力したのを動作状態判定手段で検出し、流量平均演算手段よりその時の流量を求め流量零の場合、駆動手段に通常よりはるかに長い駆動周期に設定し、計測時の電池容量の消耗を抑制すると共に、異常判定手段より遮断出力後何らかの原因で遮断手段で充分ガス供給停止でき無かった場合、流量平均演算手段により検出した流量で流速検出手段を駆動し所定流量以上の場合遮断出力を行うようにし安全を確保しておりガスの使用状態を安全に監視できる。
【発明の効果】
【０００９】
本発明のガス遮断装置は遮断手段の制御状態を検出し、流量平均演算手段で求めた流量から前記駆動手段に駆動周期を設定する動作状態判定手段とを設けており、異常時、遮断手段に遮断出力を行うと共に、動作状態判定手段はガス停止状態という状態を検出すると流速検出手段を所定間隔で駆動する駆動手段に、ガス供給可能な状態での計測間隔に比較して飛躍的に長い計測周期を設定することで、ガス使用量の計測精度を低下させずにガス遮断装置の低消費電力化を図ることができる。
【発明を実施するための最良の形態】
【００１０】
第１の発明は、媒体内の信号伝搬時間を計測し流速を検出する流速検出手段と、前記流速検出手段で検出した流速より流量に換算する流量演算手段と、前記流量演算手段の流量値より平均流量を求める流量平均演算手段と、前記流速検出手段を駆動する駆動手段と、前記流量平均演算手段で演算した流量値により異常流量か否かを判定する異常判定手段と、前記異常判定手段で異常と判定した時媒体流路を遮断する遮断手段と、前記異常判定手段により前記遮断手段の制御状態を検出し前記流量平均演算手段で求めた流量とから前記駆動手段に駆動周期を設定する動作状態判定手段とからなる。
【００１１】
そして、需要家宅の例えばガステーブルやガスファンヒータ等の低流量器具が異常に長時間使用されたり、ＧＨＰや給湯器等の大流量器具のガス供給ホース等が外れ異常な大流量が流れた場合、異常手段で異常な器具使用を判定し遮断手段に遮断出力を行うと共に、動作状態判定手段はガス停止状態を検出すると流速検出手段を所定間隔で駆動する駆動手段に、ガス供給可能な状態での計測間隔に比較して飛躍的に長い計測周期を設定し、ガス使用量の計測精度を低下させずにガス遮断装置の低消費電力化を図ると共に、元々遮断手段が正常にガス供給を停止した場合、ガス流量は零流量であり流量計測間隔をかなり長くしてもガス使用量の積算精度は低下しないため、遮断時計測間隔を長くして消費電力を抑えることが出来るので、電源の容量を削減でき、電源として電池を用いる場合には、ガス遮断装置に搭載する個数を削減でき経済性に優れ、かつ、コンパクトになり、デザイン性に優れた美観性の高いガス遮断装置を提供することが出来る。さらに、遮断中においても流量平均演算手段により求めた所定流量より大きい場合、遮断出力を遮断手段に連続的に出力しガス供給停止状態を強化することにより、ガスが漏れ続けるという不具合がおきることがない。
【００１２】
第２の発明は、媒体内の信号伝搬時間を計測し流速を検出する流速検出手段と、前記流速検出手段で検出した流速より流量に換算する流量演算手段と、前記流量演算手段の流量値より平均流量を求める流量平均演算手段と、前記流速検出手段を駆動する駆動手段と、前記流量平均演算手段で演算した流量値により異常流量か否かを判定する異常判定手段と、前記異常判定手段で異常と判定した時媒体流路を遮断する遮断手段と、前記遮断手段に対し遮断出力を行い動作確認を行ったり各種設定を行う操作手段と、前記操作手段のよる遮断出力か否かを判別しかつ前記異常判定手段により前記遮断手段の制御状態を検出し前記流量平均演算手段で求めた流量とから前記駆動手段に駆動周期を設定する動作状態判定手段とからなる。
【００１３】
そして、通常ガス遮断装置が設置された下流側にガステーブルやガスファンヒータ等の低流量の器具や、ＧＨＰや給湯器等の大流量器具が接続され、異常に長時間使用した場合或いは器具へのガス供給ホースハズレ等により異常な大流量が流れたのを異常判定手段で検出し、遮断手段を作動させガス供給を停止するが、異常判定手段により遮断出力したのを動作状態判定手段で検出し、流量平均演算手段よりその時の流量を求め流量零の場合、駆動手段に通常よりはるかに長い駆動周期に設定するが、一時的に器具を使用しない場合操作手段により遮断手段を駆動し出荷状態と同じガス供給停止する遮断状態にするが、こうした場合、特に流量計測する必要が無いため計測周期を例えば１日１回等の長周期に設定し計測時の電池容量の消耗を抑制すると共に、一方長周期計測中に何らかの原因で遮断手段で充分ガス供給停止でき無かった場合流量平均演算手段により検出した流量で流速検出手段を直ちに駆動し所定流量以上の場合遮断出力を行うようにし安全を確保しておりガスの使用状態を安全に監視できる。
【００１４】
第３の発明は、媒体内の信号伝搬時間を繰返し計測する繰返し手段を有して流速を検出する流速検出手段と、前記流速検出手段で検出した流速より流量に換算する流量演算手段と、前記流量演算手段の流量値より平均流量を求める流量平均演算手段と、前記流速検出手段を駆動する駆動手段と、前記流量平均演算手段で演算した流量値により異常流量か否かを判定する異常判定手段と、前記異常判定手段で異常と判定した時媒体流路を遮断する遮断手段と、前記遮断手段に対し遮断出力を行い動作確認を行ったり各種設定を行う操作手段と、前記操作手段のよる遮断出力か否かを判別しかつ前記異常判定手段により前記遮断手段の制御状態を検出し前記流量平均演算手段で求めた流量とから前記駆動手段に駆動周期を設定する動作状態判定手段と、前記動作状態判定手段により前記操作手段による遮断状態に至った場合前記流速検出手段の有する繰返し手段の繰返し回数を通常計測より少なくして所定の計測周期の間に計測開始を行う探索手段とからなる。
【００１５】
そして、通常需要家宅においてガス遮断装置が設置された下流側にガステーブルやガスファンヒータ等の低流量の器具や、ＧＨＰや給湯器等の大流量器具が接続された状態で長期間使用しない場合、例えばリゾート地住宅や長期間の旅行等で一時的に器具を使用しない場合、操作手段により遮断手段を駆動しガス供給停止しガス遮断装置自体を低消費電力の出荷状態の遮断状態にするが、こうした場合特に流量計測する必要が無いため計測周期を例えば１日１回等の長周期に設定し計測時の電池容量の消耗を抑制すると共に、探索手段で長周期計測中に何らかの原因で遮断手段で充分ガス供給停止できなかった場合に備え流速検出手段の繰返し手段の回数を制限して低消費電力の流速計測モードにして流速計測できるようにしており、流量平均演算手段により流量換算結果所定流量以上の場合遮断出力を行うようにし安全を確保しておりガス使用状態を安全確保できるように監視している。
【００１６】
以下、本発明の実施の形態について、図面を参照しながら説明する。なお、この実施の形態によって本発明が限定されるものではない。
【００１７】
なお、図１、図２、図３において、図４と同一機能を有する構成要素に関しては同一番号を付した。
【００１８】
（実施の形態１）
図１は本発明の第１の実施の形態のガス遮断装置で、１４は流速検出手段で、ＬＰ等のガス媒体の流路１に対向設置された上流側振動子２、下流側振動子３間で超音波信号を一方から他方に発信しその伝搬時間より使用ガスの流速を検出する。流速検出手段１４の一例として次の様な方法がある。即ち流速検出手段１４は、切替手段１５と、送信手段１６と、受信手段１７と、繰返手段１８と、伝搬時間計測手段１９とからなる。送信手段１６と受信手段１７とは切替手段１５に接続され、切替手段１５はまず送信手段１６を上流側振動子２に、受信手段１７を下流側振動子３に接続し、次は送信手段１６を下流側振動子３に、受信手段１７を上流側振動子２に接続するというように交互に送信手段１６と受信手段１７の接続先を切り替える。繰返手段１８は切替手段１５により上流側振動子２に受信手段１７を、一方下流側振動子３に送信手段１６を接続された時、送信手段１６から発信された超音波信号は上流側振動子２より流路１を経て下流側振動子３から受信手段１７で受信されるが、超音波信号の送信から受信迄を繰り返し行い、更に伝搬時間計測手段１９でその間の信号伝搬時間を計測する動作を繰り返し行う。伝搬時間計測手段１９は超音波信号の送信から受信までの時間を計測し累積する。次に切替手段１５により下流側振動子３に受信手段１７を、上流側振動子２に送信手段１６が接続され、前述の動作を繰り返し行う。伝搬時間計測手段１９は最初受信し求めた伝搬時間と、次に切替手段１５により切り替えた後計測した信号伝搬時間とから伝搬時間差を求める。
【００１９】
２０は流量演算手段で、求めた伝搬時間より流速を求め更に流量値に換算する。２１は流量平均演算手段で、流量演算手段２０で求めた流量値を例えば所定期間複数個計測し記憶し平均流量を求める。２２は異常判定手段で、ホース抜け等の異常流量値やガス遮断装置で使用可能な流量域を分割し各々の流量域に対応した使用時間設定値を有し、ガス器具の通常使用時間とを識別する判定時間等を保持しており、流量平均演算手段２１で求めた平均流量値と設定されたガス器具使用時の異常判定値と比較し異常な使用状態かどうかを判定する。
【００２０】
例えばストーブ等の器具への接続ホース等が誤ってはずれた場合、異常な大流量が流れるが、求めた平均流量値と異常判定値とを異常判定手段２２で比較し異常かどうか判定する。或いはストーブ等の器具を通常使用する最大使用時間より長くはるかに使用された場合に対応した使用時間の制限時間を規定した使用時間遮断テーブルが格納されており、異常判定手段２２が需要家の器具使用状態を流量で監視する。
【００２１】
２３は遮断手段で、異常判定手段２２から異常と判定された時遮断信号が出力されガス流路１を遮断する。異常判定手段２２でガスの使用状態が異常と判定し、遮断手段２３を駆動した場合遮断状態や遮断内容を報知手段（図示せず）の液晶表示素子等に表示すると共にガスの安全監視を行っているセンタに電話回線などで通報する。
【００２２】
２４は動作状態判定手段で、異常判定手段２２により異常判定し遮断手段２３に遮断信号を出力したか、或いは正常と判定しガスを供給している状態かを判定している。２５は駆動手段で、流量平均演算手段２１で検出した流量及び動作状態判定手段２４での遮断手段２３の動作状態信号とを判定して流速検出手段１４の駆動周期、即ち流量計測周期を決定され、駆動信号が出力され流量計測開始する。２６は電池電源手段で、ガス遮断装置全体に電源を供給している。
【００２３】
次に上記構成の動作を説明する。通常需要家宅に設置されたガス遮断装置の下流側にさまざまなガス器具、例えばガステーブルやガスファンヒータ等の長時間使用する器具やＧＨＰや給湯器等の設置され使用される。器具が使用され、給湯器のように大流量を消費する器具の場合、短い計測周期で流量計測をしないとガス使用量の精度を確保できない。又ガスファンヒータ等低流量であっても大流量消費器具に比較し流量が少ない為計測周期は大流量時に比較しそれ程短い周期でなくとも積算精度は確保される。一方、ガス器具を異常に長時間使用したり、或いはガスを器具に供給する際のホースが突然何らかの原因で外れた場合等、異常な大流量が流れて異常判定手段２２により異常と判定され遮断手段２３を駆動する。このような遮断状態においては遮断手段２３によりガス供給停止状態であり計測間隔が少々長くとも積算精度にあまり影響を与えない。ここでまず流速検出手段１４の一例の動作を説明する。
【００２４】
流路(ガス配管)１内で、斜向設置された上流側振動子２、および下流側振動子３との間で超音波信号を送受信する。切替手段１５により上流側振動子２に送信手段１６が接続され、一方受信手段１７に下流側振動子３が接続され、送信手段１６から発信された信号を上流側振動子２から下流側振動子３を介し受信する。この動作を繰返手段１８で設定された回数だけ行うシングアラウンド系を構成する。そして、送信手段１６より発射された超音波信号を受信手段１７が受信する迄の伝搬時間を累積し、その時間を伝搬時間計測手段１９で求める。
【００２５】
次に、切替手段１５は下流側振動子３に送信手段１６を接続し上流側振動子２に受信手段１７を接続する。送信手段１６より超音波信号を出力し下流側振動子３を介し流路１を経て上流側振動子２に接続された受信手段１７で信号受信する。前述同様に繰返手段１８で設定された回数だけ行う。そして、送信手段１６より発射された超音波信号を受信手段１７が受信する迄の伝搬時間を伝搬時間計測手段１９で累積し求め、更に上流から下流へ超音波信号を発射した時の伝搬時間と、下流から上流へ発射した時の伝搬時間とから伝搬時間差を求める。次に、流量演算手段２０で伝搬時間計測手段１９で求めた伝搬時間を流速値Ｖに換算し、次に流量値Ｑに換算する。図１で矢印Ａはガス媒体の流れる方向を示す。
【００２６】
次に、流量演算手段２０で求めた流量値を流量平均算手段２１で複数個記憶し、所定期間に計測した流量値より平均流量を求める。求めた平均流量を特定した器具流量として異常判定手段２２は異常な使用状態かどうかを判定する。異常判定手段２２は、ガス遮断装置で使用可能な最大流量とホース抜け等による異常な大流量との識別判定流量や、ガス遮断装置で使用可能な流量域を分割し各々の流量域に対応した使用時間設定値を有している。
【００２７】
また、異常判定手段２２は、流量平均演算手段２１で求めた平均流量と設定された異常判定流量とを比較し超えているかどうか判定したり、超えていない場合求めた平均流量値とガス使用量の使用時間設定値と比較し異常な長時間使用状態かどうかを判定する。例えばストーブ等の器具を通常使用する最大使用時間より長くはるかに使用された場合に対応した使用時間の制限時間を規定した使用時間遮断テーブルが異常判定手段２２に格納されており、異常判定手段２２が需要家の異常な器具使用がないか流量で監視する。そして、異常判定手段２２から異常と判定された時遮断信号が遮断手段２３に出力されガス流路１を遮断する。異常判定手段２２でガスの使用状態が異常と判定し、遮断手段２３を駆動した場合遮断状態や遮断内容を報知手段（図示せず）の液晶表示素子等に表示すると共にガスの安全監視を行っているセンタに電話回線などで通報する。
【００２８】
そして、異常判定手段２２より遮断信号が出力されると動作状態判定手段２４はガス遮断装置がガス供給停止状態、即ち遮断状態であると判定する。同時に流量平均演算手段２１より平均流量が零流量状態であるのを検出すると動作状態判定手段は駆動手段２５に対し流速検出手段１４の駆動周期を通常計測時、即ちガス供給可能状態（遮断手段２３が開状態）に対して、例えば１時間に１回計測であるとか長い周期に変更する。
【００２９】
但し、動作状態判定手段２４が遮断状態と判定しても流量平均演算手段２１が零流量でない状態を検出している場合、通常状態と同様の計測間隔を駆動手段２５に設定すると同時に異常判定手段２２は遮断出力を遮断手段２３に出力し遮断状態に移行させる。このようにして正常に遮断手段２３が作動している場合、動作状態判定手段２４により流速検出手段１４の駆動周期を長く設定するので電池電源の消費電力を抑制する事ができ搭載する電池電源手段２６を少なくでき経済性が高い。
【００３０】
従って、ガス遮断装置が設置された後、器具の異常使用により大流量を検出したり、或いは器具を異常な長時間使用により遮断した場合、動作状態判定手段２４によりガス供給停止状態、即ち遮断状態を検出すると通常状態の計測間隔に比較し飛躍的に長い間隔で流量計測が可能になり、電池電源手段２６の電池容量の消費を抑制できかつガス遮断装置に搭載する電池電源手段２６の容量、個数などを小さくでき、経済性が高まるばかりでなく、遮断状態における極微小な流量計測においても積算精度を低下させることなく低消費電力化を測ることが出来、安全性を確保しつつ小型コンパクト化を図りガス遮断装置としての美観性が向上している。
【００３１】
（実施の形態２）
図２は本発明の第２の実施の形態のガス遮断装置で、第１の実施の形態と異なるのは、操作手段２７を有する点で、操作手段２７により、ガス遮断装置の外部よりマグネット棒等によりガス遮断装置上の例えばリードSW等を付勢し操作したことをガス遮断装置に入力する。操作手段２７による操作信号が入力されると遮断手段２３を駆動しガス供給が停止され、遮断手段２３及び駆動回路等が動作することを確認できる。更に警告事象を解除できたり、１回或いは複数回操作すると出荷モードというガス遮断装置を出荷する際の表示などを最小限にする低消費電力モードに移行することが可能である。
【００３２】
次に上記構成の動作を説明する。通常需要家宅に設置されたガス遮断装置の下流側にさまざまなガス器具、例えばガステーブルやガスファンヒータ等の長時間使用する器具やＧＨＰや給湯器等の設置され使用される。器具が使用され、給湯器のように大流量を消費する器具の場合、短い計測周期で流量計測をしないとガス使用量の精度を確保できない。又ガスファンヒータ等低流量であっても大流量消費器具に比較し流量が少ない為計測周期は大流量時に比較しそれ程短い周期でなくとも積算精度は確保される。
【００３３】
一方、ガス器具を異常に長時間使用したり、或いはガスを器具に供給する際のホースが突然何らかの原因で外れた場合等、異常な大流量が流れて異常判定手段２２により異常と判定され遮断手段２３を駆動するが、需要家宅が長期の旅行にでかけたり、転宅などの移動により器具を全く使用しない場合、操作手段２７を操作すると遮断手段２３が遮断状態となり、更に１回或いは複数回操作することにより出荷モードに移行することが可能である。このような遮断状態においては遮断手段２３によりガス供給停止状態であり計測間隔が少々長くとも積算精度にあまり影響を与えない。なお、流速検出手段１４の動作を第１の実施と同様であるので説明を省略する。
【００３４】
ここで、需要家宅が転宅などによる移動或いは長期の旅行などにより器具を全く使用しない場合、操作手段２７により遮断出力を遮断手段２３に出力する。１回或いは複数回操作することにより出荷モードに移行可能である。この出荷モードに移行したのを動作判定手段２４が検出すると、同時に流量平均演算手段２１より平均流量が零流量状態であるのを検出すると動作状態判定手段は駆動手段２５に対し流速検出手段１４の駆動周期を通常計測時、即ちガス供給可能状態（遮断手段２３が開状態）に対して、例えば２４時間に１回流量計測する等の長い計測周期に変更する。
【００３５】
但し、動作状態判定手段２４が遮断状態と判定しても流量平均演算手段２１が所定流量以上の、零流量でない状態を検出した場合、通常状態と同様の計測間隔、例えば数秒間隔を駆動手段２５に設定する。同時に遮断状態であるのに所定流量以上を検出すると異常判定手段２２は遮断異常と判定し遮断出力を遮断手段２３に出力し、流量零の遮断状態に移行させる。正常に遮断手段２３が作動している場合、動作状態判定手段２４により流速検出手段１４の駆動周期を長く設定するので電池電源の消費電力を抑制する事ができ搭載する電池電源手段２６を少なくでき経済性が高い。
【００３６】
以上のように、ガス遮断装置が設置された後、長期間器具を使用しない時等、操作手段２７により出荷モードに移行すると、動作状態判定手段２４によりガス供給停止状態、即ち遮断状態を検出すると通常状態の計測間隔に比較し飛躍的に長い間隔で流量計測が可能になり、電池電源手段２６の電池容量の消費を抑制できかつガス遮断装置に搭載する電池電源手段２６の容量、個数などを小さくでき、経済性を高めることが出来る。
【００３７】
（実施の形態３）
図３は本発明の第３の実施の形態のガス遮断装置である。図３において、図１、図２及び図４と同一機能を有する構成要素には同一番号を付し説明は省略する。
【００３８】
図３は本発明の第３の実施の形態のガス遮断装置で、実施の形態２と異なるのは、探索手段２８を有する点で、探索手段２８により、流速検出手段１４の内部の繰返手段１８に駆動手段２５の計測周期毎に通常の繰返し回数をよりはるかに少ない回数を設定し、流量変化があったかどうかを遮断中の計測周期より早期に判定できる。
【００３９】
次に上記構成の動作を説明する。通常需要家宅のガス遮断装置の下流側にガス器具、例えばガステーブルやガスファンヒータ等の長時間使用する器具やＧＨＰや給湯器等の設置されている。給湯器のように大流量を消費する器具の場合、短い計測周期で流量計測をしないと変化時などガス使用量の精度を確保できない。又ガスファンヒータ等低流量であっても大流量消費器具に比較し流量が少ない為計測周期は大流量時に比較しそれ程短い周期でなくとも積算精度は確保される。一方、ガス器具を異常に長時間使用したり、或いはガスを器具に供給する際のホースが突然何らかの原因で外れた場合等、異常な大流量が流れて異常判定手段２２により異常と判定され遮断手段２３を駆動する。或いは需要家宅が長期の旅行にでかけたり、転宅などの移動により器具を全く使用しない場合、操作手段２７を操作すると遮断手段２３が遮断状態となり、更に１回或いは複数回操作することにより出荷モードに移行することが可能である。このような遮断状態においては遮断手段２３によりガス供給停止状態であり計測間隔が少々長くとも積算精度にあまり影響を与えない。なお、流速検出手段１４の動作を第１の実施と同様であるので説明を省略する。
【００４０】
ここで、需要家宅が転宅などによる移動或いは長期の旅行などにより器具を全く使用しない場合、操作手段２７により遮断出力を遮断手段２３に出力する。１回或いは複数回操作することにより出荷モードに移行可能である。この出荷モードに移行したのを動作判定手段２４が検出すると、同時に流量平均演算手段２１より平均流量が零流量状態であるのを検出すると動作状態判定手段は駆動手段２５に対し流速検出手段１４の駆動周期を通常計測時、即ちガス供給可能状態（遮断手段２３が開状態）に対して、例えば２４時間に１回流量計測する等の長い計測周期に変更する。但し動作状態判定手段２４が遮断状態と判定しても流量平均演算手段２１が所定流量以上の、零流量でない状態を検出した場合、通常状態と同様の計測間隔、例えば数秒間隔を駆動手段２５に設定する。
【００４１】
そして、長い周期が駆動手段２５に設定された場合、探索手段２８が作動し流速検出手段１４の繰返手段１８に通常よりはるかに少ない繰返し回数を設定する。通常状態の流量計測時は探索手段２８は動作せず流速検出手段１４の繰返手段には高精度の瞬時流速が検出できる通常の回数が設定される。遮断中計測間隔が長いので、遮断中でも何らかの原因で流量が流れ始めたとき、速く流量検出して遮断手段２３に遮断出力を出すことによりガス漏れを速く防止する。
【００４２】
次に、探索手段２８により遮断状態であるのに流量有り状態を検出すると、通常の繰返手段１８の回数に戻す共に探索手段２８による計測を中断する。そして所定流量以上を検出すると異常判定手段２２は遮断異常と判定し遮断出力を遮断手段２３に出力し、流量零の遮断状態に移行させる。正常に遮断手段２３が作動している場合、動作状態判定手段２４により流速検出手段１４の駆動周期を長く設定するので電池電源の消費電力を抑制する事ができ搭載する電池電源手段２６を少なくでき経済性が高い。
【００４３】
以上のように、ガス遮断装置が設置された後、異常判定手段２２により器具の異常使用を検出し遮断した場合、或いは長期間器具を使用しない時等、操作手段２７により出荷モードに移行した合、動作状態判定手段２４によりガス供給停止状態、即ち遮断状態を検出すると通常状態の計測間隔に比較し飛躍的に長い間隔で流量計測を開始し、同時に探索手段２８により消費電力の少ない即ち繰返手段１８の回数で流量計測を行い、何らかの原因による流量変化を早期に検出できるようにし、遮断手段２３に遮断信号出力などの対応を早く取れ、同時に消費電流の大きい繰返回数の設定時計測間隔を大きく取るので電池電源手段２６の電池容量の消費を抑制できかつガス遮断装置に搭載する電池電源手段２６の容量、個数などを小さくでき、経済性を高めることが出来る。
【産業上の利用可能性】
【００４４】
以上のように、本発明にかかるガス遮断装置によると、遮断手段の制御状態を検出し、流量平均演算手段で求めた流量から前記駆動手段に駆動周期を設定する動作状態判定手段とを設けており、異常時、遮断手段に遮断出力を行うと共に、動作状態判定手段はガス停止状態という状態を検出すると流速検出手段を所定間隔で駆動する駆動手段に、ガス供給可能な状態での計測間隔に比較して飛躍的に長い計測周期を設定することで、ガス使用量の計測精度を低下させずにガス遮断装置の低消費電力化を図ることができので、省電力を必要とする計測器の制御に応用できる。
【図面の簡単な説明】
【００４５】
【図１】本発明の実施の形態１のガス遮断装置の制御ブロック図
【図２】本発明の実施の形態２のガス遮断装置の制御ブロック図
【図３】本発明の実施の形態３のガス遮断装置の制御ブロック図
【図４】従来のガス遮断装置の制御ブロック図
【符号の説明】
【００４６】
１４  流速検出手段
２０  流量演算手段
２１  流量平均演算手段
２２  異常判定手段
２３  遮断手段
２４  動作状態判定手段
２５  駆動手段
２７  操作手段
２８  探索手段
【図１】
2005172497.tif 000003
【図２】
2005172497.tif 000004
【図３】
2005172497.tif 000005
【図４】
2005172497.tif 000006